(57)【要約】【課題】小動物の移動や食餌行為を阻害して餓死させたり、あるいは強いストレス状態に陥らせることでショック死させるなどによって小動物を駆除する小動物駆除具を提供する。【解決手段】小動物の手足が落ち込む落ち込み空間２と、上記落ち込み空間２内の上部寄りの位置において下部空間を確保した状態で支持されるとともに粘着剤６が塗布され、小動物の手足が落ち込み空間２に落ち込んだときに上記手足に絡みつく絡み付き部材５とを備えている。【選択図】図１
2008104423.tif 000002
【特許請求の範囲】
【請求項１】
小動物の手足が落ち込む落ち込み空間と、上記落ち込み空間内の上部寄りの位置において下部空間を確保した状態で支持されるとともに粘着剤が塗布され、小動物の手足が落ち込み空間に落ち込んだときに上記手足に絡みつく絡み付き部材とを備えたことを特徴とする小動物駆除具。
【請求項２】
上記絡み付き部材の下部に粘着剤の周囲への付着を防止するカバー部材が配置されている請求項１記載の小動物駆除具。
【発明の詳細な説明】
【技術分野】
【０００１】
本発明は、ネズミ等の小動物を駆除するために使用される小動物駆除具に関する。
【背景技術】
【０００２】
従来より、ネズミ等の小動物を駆除するために、紙やプラスチック等でできた基板の表面に粘着剤を塗布した構成の小動物駆除具が提供されている（例えば、下記の特許文献１参照）。
【０００３】
すなわち、従来構成の小動物駆除具は、小動物が出没しそうな場所に粘着剤を上向きにした状態で配置し、小動物の前肢あるいは後肢（以下、単に手足という）が不意にこの粘着剤に触ると、これが手足に絡み付いて身動きできないようにして捕獲し、最終的には食餌行為を阻害して餓死させるようにしている。
【特許文献１】特開平１１−２６２３５２号公報
【発明の開示】
【発明が解決しようとする課題】
【０００４】
上述のように、従来の小動物駆除具は、小動物の手足の動きを粘着剤によって拘束して捕獲する粘着捕獲を主眼にしているので、小動物の四肢ができるだけ粘着剤の上に乗るように、粘着剤の塗布面は小動物の身体よりも十分大きな面積を確保するようにしている。このため、粘着剤が塗布される基板も必然的に大きなものとなり、小動物駆除具の全体形状が大きなものとなっている。
【０００５】
ところで、ネズミなどの小動物は、巣と食餌場所との間を行き来する場合、学習によって最も安全と思われる所を通路としており、このような通路は、床や壁面、天井裏の隙間や、配管の上であったりすることが多い。したがって、このような小動物を有効に駆除するためには、小動物が出没する通路上に小動物駆除具を設置することになる。
【０００６】
しかし、小動物が行き来する通路は、上記のように狭隘な場所や必ずしも平坦でない場所であることが多く、このような場所では、従来のような大きな形状の小動物駆除具を設置することが難しい。また、小動物が暴れることによって粘着を容易に引き剥がして逃げてしまうことも多く、捕獲を主眼とする場合には、その駆除効果が未だ不十分である。
【０００７】
本発明は、上記の課題を解決するためになされたもので、捕獲を主眼とするのではなく、小動物の移動や食餌行為を阻害して餓死させたり、あるいは強いストレス状態に陥らせることでショック死させることによって小動物を駆除する小動物駆除具を提供することを目的とする。
【課題を解決するための手段】
【０００８】
上記の目的を達成するため、本発明の小動物駆除具は、小動物の手足が落ち込む落ち込み空間と、上記落ち込み空間内の上部寄りの位置において下部空間を確保した状態で支持されるとともに粘着剤が塗布され、小動物の手足が落ち込み空間に落ち込んだときに上記手足に絡みつく絡み付き部材とを備えたことを要旨とする。
【発明の効果】
【０００９】
本発明の小動物駆除具によれば、これを小動物の通路に設置しておけば、小動物の手足が絡み付き部材の上に乗って体重がかかると、手足が落ち込み空間内に落ち込むときに絡み付き部材が手足に絡み付き、粘着剤によって手足に粘り付いて離れなくなる。その結果、小動物の手足の自由を奪い、小動物の移動や食餌行為が阻害され、最終的に餓死に至るか、あるいは強いストレス状態に陥ってショック死する。特に、ネズミはこのようなストレスに弱いので有効である。
【００１０】
しかも、この小動物駆除具は、全体の形状が小形であるので、小動物が出没する通路が狭隘な場所であったり、配管の表面のように平坦でない場所であっても容易に取り付け設置することができる。このため、従来に比べて十分な駆除効果が得られる。また、製品としての部品点数も少ないので、安価に製造することができる。
【００１１】
本発明において、上記絡み付き部材の下部に粘着剤の周囲への付着を防止するカバー部材が配置されている場合には、絡み付き部材とともにカバー部材が手足に付いて離れなくなるので、小動物が粘着剤や絡み付き部材をつけたまま手足をばたつかせたときに粘着剤が周囲に付着して汚染するのを防止できる。
【発明を実施するための最良の形態】
【００１２】
以下、本発明の小動物駆除具の実施の形態について、図面を参照して詳細に説明する。図１は本発明の一実施形態における小動物駆除具を示す図である。
【００１３】
この実施の形態における小動物駆除具は、本体１に、小動物の手足が落ち込むよう上面に開口する凹部が形成されて、この凹部により落ち込み空間２が複数並ぶように形成されている。上記落ち込み空間２は、この例では平面視四角形に形成され、開口の周縁に段部３が形成されている。
【００１４】
上記段部３には、円形環状の支持部材４が載置され、この支持部材４の下面に、粘着剤６が塗布された絡み付き部材５が粘着支持されている。これにより、上記絡み付き部材５は、上記落ち込み空間２内の上部寄りの位置において下部空間を確保した状態で粘着剤６の粘着力により支持され、小動物の手足が落ち込み空間２に落ち込んだときに上記手足に絡みつくように構成されている。
【００１５】
この例では、上記絡み付き部材５として伸び縮みしうる金属細線製のらせん状部材が使用されている。このように、金属細線製のらせん状部材であれば、手足に絡み付いた後に小動物が手足をばたつかせてもがくほどにらせん状部材が手足に食い込んで離れ難くなり、小動物に与えるストレスを増大させて駆除効果をアップすることができる。
【００１６】
このように、環状の支持部材４に対して絡み付き部材５が粘着支持しているため、小動物が手足を落ち込み空間に落ち込ませたときに、絡み付き部材５が容易に手足に絡みつくうえ、環状の支持部材４も手足に絡む。このとき、上記支持部材４を金属細線のらせん状部材や環状部材で形成することにより、小動物が手足をばたつかせてもがくほどに絡み付き部材５以外に支持部材も絡み付いて食い込むことから、小動物に与えるストレスを増大させて駆除効果をアップすることができる。
【００１７】
また、上記絡み付き部材５の下部には、粘着剤６の周囲への付着を防止するカバー部材７が配置されている。このカバー部材７も粘着剤６の粘着力で絡み付き部材５に粘着している。この例では、上記カバー部材７として金属製の浅皿状部材が用いられている。
【００１８】
上記小動物駆除具によれば、これを小動物の通路に設置しておけば、小動物の手足が絡み付き部材５の上に乗って体重がかかると、手足が落ち込み空間２内に落ち込むときに絡み付き部材５が手足に絡み付き、粘着剤６によって手足に粘り付いて離れなくなる。その結果、小動物の手足の自由を奪い、小動物の移動や食餌行為が阻害され、最終的に餓死に至るか、あるいは強いストレス状態に陥ってショック死する。特に、ネズミはこのようなストレスに弱いので有効である。
【００１９】
しかも、この小動物駆除具は、全体の形状が小形であるので、小動物が出没する通路が狭隘な場所であったり、配管の表面のように平坦でない場所であっても容易に取り付け設置することができる。このため、従来に比べて十分な駆除効果が得られる。また、製品としての部品点数も少ないので、安価に製造することができる。
【００２０】
また、上記絡み付き部材５の下部に粘着剤６の周囲への付着を防止するカバー部材７が配置されているため、絡み付き部材５とともにカバー部材７が手足に付いて離れなくなるので、小動物が粘着剤６や絡み付き部材５をつけたまま手足をばたつかせたときに粘着剤６が周囲に付着して汚染するのを防止できる。
【００２１】
図２は、本発明の第２の実施形態を示す。
【００２２】
この例では、上記段部３に載置された支持部材４が四角環状であり、絡み付き部材５の下部配置されたカバー部材７が金属製の板状部材である以外、上記第１の実施形態と同様である。この例でも、上記第１の実施形態と同様の作用効果を奏する。
【００２３】
図３は、本発明の第３の実施形態を示す。
【００２４】
この例では、カバー部材７が落ち込み空間２内に遊嵌するボウル上に形成され、ボウル状のカバー部材７の内部が落ち込み空間２に形成されている。そして、本体１に段部３が形成されておらず、支持部材４も設けられていない。上記カバー部材７の内面に粘着剤６が塗布されるとともに、カバー部材７の上部開口近傍に、粘着剤６が塗布された絡み付き部材５が粘着支持されている。それ以外は、上記第１および第２の実施形態と同様である。この例でも、上記第１および第２の実施形態と同様の作用効果を奏する。
【００２５】
図４および図５は、本発明の第４の実施形態を示す。
【００２６】
この実施の形態における小動物駆除具は、本体１に、小動物の手足が落ち込むよう上面に開口する凹部が形成されて、この凹部により落ち込み空間２が形成されている。上記落ち込み空間２は、この例では平面視六角形に形成され、開口の周縁に段部３が形成されている。
【００２７】
上記段部３には、図５に示す仕掛け部材１０が載置されている。上記仕掛け部材１０は、上記段部３に載置可能な大きさ形状の六角筒状部材８と、上記六角筒状部材８の内部にはめ込まれる六角板状部材９とから構成されている。上記六角筒状部材８の側壁には、３箇所のスリット１１が形成され、六角板状部材９の外周縁に突設された嵌合突部１２がスリット１１に嵌合することにより、六角筒状部材８の内部に六角板状部材９がはめ込まれるようになっている。
【００２８】
上記六角板状部材９は、金属製の薄板であり、渦巻状の切れ込み１３が形成されている。上記渦巻状の切れ込み１３によって形成される渦巻状の帯状部分が、本発明の絡み付き部材５として機能するよう形成されている。上記渦巻状の絡み付き部材５の中心部には、円板状部１４が残されている。
【００２９】
そして、上記六角板状部材９の上面の少なくとも円板状部１４と絡み付き部材５を覆うように粘着剤６が塗布されている。なお、図４（Ｂ）は粘着剤６を塗布していない状態を示している。また、上記六角板状部材９の落ち込み空間２に臨む下面１５には、粘着剤６や絡み付き部材５が本体１に粘着してしまうのを防止する図示しない粘着防止剤が塗布されている。また、落ち込み空間２の底面１６に、図示しない粘着防止剤を塗布してもよい。上記粘着防止剤としては、例えばシリコーンオイルやフッ素系オイル等のオイルやタルク等のパウダーを使用することができる。
【００３０】
上記構成により、上記円板状部１４を小動物の手足が踏むことにより、円板状部１４が落ち込み空間２に落ち込んで、渦巻状の絡み付き部材５が小動物の手足に絡みつくようになっている。
【００３１】
図６は、本発明の第５の実施形態を示す。
【００３２】
この実施の形態における小動物駆除具は、本体１に、小動物の手足が落ち込むよう上面に開口する凹部が形成されて、この凹部により落ち込み空間２が形成されている。上記落ち込み空間２は、この例では平面視四角形に形成され、開口の周縁に段部３が形成されている。
【００３３】
上記段部３には、同じく四角形の板状仕掛け部材１７が載置されている。上記板状仕掛け部材１０は、金属製の薄板であり、渦巻状の切れ込み１３が形成されている。上記渦巻状の切れ込み１３によって形成される渦巻状の帯状部分が、本発明の絡み付き部材５として機能するよう形成されている。上記渦巻状の絡み付き部材５の中心部には、円板状部１４が残されている。
【００３４】
そして、上記板状仕掛け部材１７の上面の少なくとも円板状部１４と絡み付き部材５を覆うように粘着剤６が塗布されている。なお、図５（Ｂ）は粘着剤６を塗布していない状態を示している。また、上記板状仕掛け部材１７の落ち込み空間２に臨む下面１５には、粘着剤６や絡み付き部材５が本体１に粘着してしまうのを防止するカバー部材１８が貼着されている。上記カバー部材１８は例えば薄い紙や樹脂フィルムを円板状部１４の下面に接着剤で接着することにより取り付けることができる。
【００３５】
また、落ち込み空間２の底面１６に、図示しない粘着防止剤を塗布してもよい。上記粘着防止剤としては、例えばシリコーンオイルやフッ素系オイル等のオイルやタルク等のパウダーを使用することができる。
【００３６】
上記構成により、上記円板状部１４を小動物の手足が踏むことにより、円板状部１４が落ち込み空間２に落ち込んで、渦巻状の絡み付き部材５が小動物の手足に絡みつくようになっている。
【００３７】
上記第４および第５の実施の形態において、仕掛け部材１０や板状仕掛け部材１７は、薄い金属板に切れ込み１３を形成したものを用いたが、これに限定するものではなく、樹脂板に切れ込み１３を形成したものや、不織布や紙に切れ込み１３を形成したもの等を用いることもできる。
【００３８】
本発明は、下記の変形例を包含する趣旨である。
【００３９】
上記粘着剤６に、細かく砕いたガラス片や砂粒等のように、小動物の手足を突き刺す鋭利な突刺片を混入させることもできる。このようにすることにより、小動物の手足が落ち込み空間内に落ち込んだときや、絡み付き部材が絡みつくときに、小動物の手足に突刺片が深く突き刺さり手足が傷付けられ、小動物の移動や食餌行為が阻害されて最終的に餓死に至るか、あるいは強いストレス状態に陥ってショック死する。
【図面の簡単な説明】
【００４０】
【図１】本発明の第１実施の形態における小動物駆除具を示す図であり、（Ａ）は全体の断面図、（Ｂ）は要部拡大断面図、（Ｃ）は要部拡大平面図である。
【図２】本発明の第２実施の形態における小動物駆除具を示す図であり、（Ａ）は要部拡大断面図、（Ｂ）は要部拡大平面図である。
【図３】本発明の第３実施の形態における小動物駆除具を示す要部拡大断面図である。
【図４】本発明の第４実施の形態における小動物駆除具を示す図であり、（Ａ）は要部拡大断面図、（Ｂ）は要部拡大平面図である。
【図５】上記第４実施の形態における小動物駆除具を示す要部拡大断面図である。
【図６】本発明の第５実施の形態における小動物駆除具を示す図であり、（Ａ）は要部拡大断面図、（Ｂ）は要部拡大平面図である。
【符号の説明】
【００４１】
１    本体
２    落ち込み空間
３    段部
４    支持部材
５    絡み付き部材
６    粘着剤
７    カバー部材
８    六角筒状部材
９    六角板状部材
１０    仕掛け部材
１１    スリット
１２    嵌合突部
１３    切れ込み
１４    円板状部
１５    下面
１６    底面
１７    板状仕掛け部材
【図１】
2008104423.tif 000003
【図２】
2008104423.tif 000004
【図３】
2008104423.tif 000005
【図４】
2008104423.tif 000006
【図５】
2008104423.tif 000007
【図６】
2008104423.tif 000008